(57)【要約】  本発明は、利用可能な符号化済みマルチチャンネルオーディオ信号に基づいてモノオーディオ信号を合成する方法に関する。上記符号化済みマルチチャンネルオーディオ信号には、少なくともオーディオ周波数帯域の一部の帯域用として、上記マルチチャンネルオーディオ信号の個々のチャンネル用の個別のパラメータ値が含まれるものと仮定されている。上記モノオーディオ信号を合成する際の処理時の負荷を減らすために、上記パラメータ領域における少なくともオーディオ周波数帯域の一部の帯域に対する上記マルチチャンネルのパラメータ値の組み合わせが提案される。次いで、上記組み合わされたパラメータ値は上記モノオーディオ信号の合成に利用される。本発明は、対応するオーディオデコーダと、対応する符号化システムと、対応するソフトウェアプログラム製品とにも等しく関する。
2007529031.tif 000002
【特許請求の範囲】
【請求項１】
利用可能な符号化済みマルチチャンネルオーディオ信号（２）に基づいてモノオーディオ信号（３）を合成する方法であって、前記符号化済みマルチチャンネルオーディオ信号（２）が、少なくともオーディオ周波数帯域の一部の帯域用として、前記マルチチャンネルオーディオ信号の個々のチャンネル用の個別のパラメータ値を含み、少なくともオーディオ周波数帯域の一部の帯域用として、
前記パラメータ領域の中で前記マルチチャンネルのパラメータ値を組み合わせるステップと、
モノオーディオ信号を合成するために前記組み合わされたパラメータ値を利用するステップと、を具備する方法。
【請求項２】
前記パラメータが前記マルチチャンネルの各マルチチャンネル用利得係数と、前記マルチチャンネルの各マルチチャンネル用線形予測係数とを含む請求項１に記載の方法。
【請求項３】
前記マルチチャンネルにおけるそれぞれの活動に関する情報に基づいて、少なくとも１つのパラメータに対して前記パラメータ値を組み合わせるステップを制御する請求項１または２に記載の方法。
【請求項４】
請求項３に記載の方法であって、前記マルチチャンネルにおけるそれぞれの活動に関する前記情報が、
前記マルチチャンネルの各マルチチャンネル用利得係数と、
前記マルチチャンネルの各マルチチャンネル用の短時間にわたる利得係数の組み合わせと、
前記マルチチャンネルの各マルチチャンネル用線形予測係数と、
前記マルチチャンネルの各マルチチャンネル用の前記マルチチャンネルオーディオ信号の周波数帯域の少なくとも一部の帯域におけるエネルギレベルと、
前記符号化済みマルチチャンネルオーディオ信号を出力する符号化端部から受信した前記活動に関する個別のサイド情報と、のうちの少なくとも１つを含む方法。
【請求項５】
前記マルチチャンネルにおける活動に関する前記情報によって、前記マルチチャンネルのうちの第１のマルチチャンネルにおける活動の方が、前記マルチチャンネルのうちの少なくとも１つの別のマルチチャンネルの場合よりも著しく低いことが示された場合、前記第１のチャンネル用として利用可能な少なくとも１つのパラメータの値を無視する請求項３または４に記載の方法。
【請求項６】
前記マルチチャンネルにおける活動に関する前記情報によって、前記マルチチャンネルのうちの第１のマルチチャンネルにおける活動の方が、前記マルチチャンネルのうちの少なくとも１つの別のマルチチャンネルの場合よりも著しく低いことが示された場合、前記マルチチャンネル用として利用可能な少なくとも１つの別のパラメータの値の平均値を計算する請求項５に記載の方法。
【請求項７】
前記マルチチャンネルにおける活動に関する前記情報によって、前記マルチチャンネルのうちの第１のマルチチャンネルにおける活動の方が、前記マルチチャンネルのうちの少なくとも１つの別のマルチチャンネルの場合よりも著しく低いことが示されなかった場合、前記マルチチャンネル用として利用可能な前記マルチチャンネルの値の平均値を計算する請求項３乃至６のいずれか１項に記載の方法。
【請求項８】
前記マルチチャンネル信号がステレオ信号である上記請求項のうちの１項に記載の方法。
【請求項９】
原マルチチャンネルオーディオ信号（１）を低周波数帯域信号と高周波数帯域信号とに分割し、前記低周波数信号を符号化し、前記マルチチャンネル用の前記高周波数帯域信号を個別に符号化する先行するステップを具備し、この結果として前記マルチチャンネルの各マルチチャンネル用の前記パラメータ値を得る方法であって、前記高周波数帯域信号用として上記の結果得られた少なくとも前記パラメータ値を前記モノオーディオ信号を合成するために組み合わせる上記請求項のうちの１項に記載の方法。
【請求項１０】
利用可能な符号化済みマルチチャンネルオーディオ信号（２）に基づいてモノオーディオ信号（３）を合成するオーディオデコーダ（２０）であって、前記符号化済みマルチチャンネルオーディオ信号（２）が、少なくとも原マルチチャンネルオーディオ信号（１）のオーディオ周波数帯域の一部の帯域用として前記マルチチャンネルオーディオ信号の個々のチャンネル用の個別のパラメータ値を含み、
少なくとも前記マルチチャンネルオーディオ信号の周波数帯域の一部の帯域用として、前記パラメータ領域の中で前記マルチチャンネルのパラメータ値を組み合わせるように為す少なくとも１つのパラメータ選択部（４２、４３；６２、６３）と、
前記少なくとも１つのパラメータ選択部（４２、４３；６２、６３）が出力した組み合わされたパラメータ値に基づいて、少なくとも前記マルチチャンネルオーディオ信号の周波数帯域の一部の帯域用として、モノオーディオ信号を合成するように為すオーディオ信号合成部（４０、４１；６０、６１）と、を具備するオーディオデコーダ（２０）。
【請求項１１】
前記パラメータが前記マルチチャンネルの各マルチチャンネル用利得係数と、前記マルチチャンネルの各マルチチャンネル用線形予測係数とを含む請求項１０に記載のオーディオデコーダ（２０）。
【請求項１２】
前記パラメータ選択部（６２、６３）が、前記マルチチャンネルにおけるそれぞれの活動に関する情報に基づいて、少なくとも１つのパラメータに対してパラメータ値を組み合わせるように為す請求項１０または１１に記載のオーディオデコーダ（２０）。
【請求項１３】
請求項１２に記載のオーディオデコーダ（２０）であって、前記マルチチャンネルにおけるそれぞれの活動に関する前記情報が、
前記マルチチャンネルの各マルチチャンネル用利得係数と、
前記マルチチャンネルの各マルチチャンネル用の短時間にわたる利得係数の組み合わせと、
前記マルチチャンネルの各マルチチャンネル用線形予測係数と、
前記マルチチャンネルの各マルチチャンネル用の前記マルチチャンネルオーディオ信号の周波数帯域の少なくとも一部の帯域におけるエネルギレベルと、
前記符号化済みマルチチャンネルオーディオ信号を出力する符号化端部から受信した前記活動に関する個別のサイド情報と、のうちの少なくとも１つを含むオーディオデコーダ（２０）。
【請求項１４】
前記マルチチャンネルにおける活動に関する前記情報によって、前記第１のチャンネルにおける活動の方が、前記マルチチャンネルのうちの少なくとも１つの別のマルチチャンネルにおける場合よりも著しく低いことが示された場合に、前記マルチチャンネルのうちの第１のマルチチャンネル用として利用可能な少なくとも１つのパラメータの値を組み合わせる前記ステップ時に、前記パラメータ選択部（６２、６３）を無視するように為す請求項１２または１３に記載のオーディオデコーダ（２０）。
【請求項１５】
前記マルチチャンネルにおける活動に関する前記情報によって、前記マルチチャンネルのうちの前記第１のチャンネルにおける活動の方が、前記マルチチャンネルのうちの少なくとも１つの別のマルチチャンネルにおける場合よりも著しく低いことが示された場合に、前記パラメータ選択部（６２、６３）が、前記マルチチャンネル用として利用可能な少なくとも１つの別のパラメータの値の平均値を計算するように為す請求項１４に記載のオーディオデコーダ（２０）。
【請求項１６】
前記マルチチャンネルにおける活動に関する前記情報によって、前記マルチチャンネルのうちの第１のマルチチャンネルにおける活動の方が、少なくとも１つの前記マルチチャンネルのうちの別のマルチチャンネルの場合よりも著しく低いことが示されなかった場合、前記パラメータ選択部（６２、６３）が、前記マルチチャンネル用として利用可能な前記パラメータの値の平均値を計算するように為す請求項１２乃至１５のいずれか１項に記載のオーディオデコーダ（２０）。
【請求項１７】
前記マルチチャンネル信号がステレオ信号である請求項１０乃至１６のいずれか１項に記載のオーディオデコーダ（２０）。
【請求項１８】
オーディオエンコーダ（１０）と、請求項１０乃至１７のいずれか１項に記載のオーディオデコーダ（２０）とを備えた符号化システムであって、前記オーディオエンコーダ（１０）が、符号化済みマルチチャンネルオーディオ信号（２）であって、少なくとも原マルチチャンネルオーディオ信号（１）の周波数帯域の一部の帯域用として、前記マルチチャンネルオーディオ信号の個々のチャンネル用の個別のパラメータ値を含む前記符号化済みマルチチャンネルオーディオ信号（２）を出力する符号化システム。
【請求項１９】
前記オーディオエンコーダ（１０）が、前記マルチチャンネルでの活動に関する情報を決定するように為し、さらに、前記オーディオデコーダ（２０）によって利用できるように前記情報を出力する評価用コンポーネント（１３）を具備する請求項１８に記載の符号化システム。
【請求項２０】
利用可能な符号化済みマルチチャンネルオーディオ信号（２）に基づいてモノオーディオ信号（３）を合成するためのソフトウェアコードが格納されたソフトウェアプログラム製品であって、前記符号化済みマルチチャンネルオーディオ信号（２）が、少なくとも原マルチチャンネルオーディオ信号（１）の周波数帯域の一部の帯域用として、前記マルチチャンネルオーディオ信号の個々のチャンネル用の個別のパラメータ値を含み、前記ソフトウェアコードが、オーディオデコーダ（２０）の中で実行するとき、前記請求項１乃至９のいずれか１項に記載の方法ステップを実行するソフトウェアプログラム製品。
【発明の詳細な説明】
【技術分野】
【０００１】
本発明は、利用可能な符号化済みマルチチャンネルオーディオ信号に基づいてモノオーディオ信号を合成する方法に関し、上記符号化済みマルチチャンネルオーディオ信号には、少なくともオーディオ周波数帯域の一部の帯域用として、上記マルチチャンネルオーディオ信号の個々のチャンネル用の個別のパラメータ値が含まれる。本発明は、対応するオーディオデコーダと、対応する符号化システムと、対応するソフトウェアプログラム製品とにも同様に関する。
【背景技術】
【０００２】
オーディオ符号化システムが現状技術から知られている。これらのシステムは、特に、オーディオ信号の格納や送信に利用される。
【０００３】
オーディオ信号の送信用として採用されるオーディオ符号化システムは送信端側にエンコーダを備え、受信端側にデコーダを備えている。この送信端と受信端とは例えば移動端末装置などであってもよい。送信対象のオーディオ信号はエンコーダへ出力される。エンコーダはオーディオデータレートをビットレートレベルに適合させる役割を果たし、このビットレートレベルで送信チャンネルの帯域条件に反することはなくなる。理想的には、上記符号化処理時にエンコーダがオーディオ信号から関係のない情報のみを破棄することが望ましい。この場合、符号化済みオーディオ信号はオーディオ符号化システムの送信端によって送信され、オーディオ符号化システムの受信端で受信される。受信端側のデコーダは上記符号化処理を逆向きに行って、耳に聞こえる減損がまったくない、あるいは、ほとんどない復号化済みオーディオ信号を取得する。
【０００４】
オーディオデータを保存するためにオーディオ符号化システムが採用されている場合、エンコーダにより出力されたオーディオデータを何らかの記憶装置に格納し、デコーダは、この記憶装置から検索されたオーディオデータを復号化して、例えば何らかのメディアプレイヤにより表示を行うようにする。この代替実施例では、エンコーダは、定義済みの高帯域ＬＰＣモデルとして可能なかぎり低いビットレートを達成して、格納空間の節減を図るようにすることを目標とする。
【０００５】
許されたビットレートに依存して、異なる符号化方式をオーディオ信号に適用ことができる。
【０００６】
ほとんどの場合、オーディオ信号のより低い周波数帯域と、より高い周波数帯域とは相互に相関している。オーディオコーデック帯域拡張アルゴリズムは、一般に符号化対象のオーディオ信号の帯域を２つの周波数帯域にまず分割する。次いで、より低い周波数帯域はいわゆるコアコーデックにより処理され、一方、より高い周波数帯域は符号化用パラメータに関する情報と、より低い周波数帯域から出される信号とを利用して処理される。高周波数帯域符号化時に低周波数帯域符号化から得られるパラメータを利用することによってビットレートが下がる結果、大幅な高帯域符号化が得られる。
【０００７】
図１は典型的な分割帯域符号化および復号化システムを提示する図である。このシステムはオーディオエンコーダ１０およびオーディオデコーダ２０を具備する。オーディオエンコーダ１０は、２帯域分析フィルタバンク１１、低帯域用エンコーダ１２および高帯域用エンコーダ１３を備える。オーディオデコーダ２０は、低帯域用デコーダ２１、高帯域用デコーダ２２および２帯域合成フィルタバンク２３を備える。低帯域用エンコーダ１２および低帯域用デコーダ２１は、例えば、適応マルチレート広帯域（ＡＭＲ−ＷＢ）標準エンコーダおよびデコーダであってもよい。これに対して、高帯域用エンコーダ１３および高帯域用デコーダ２２は、非依存符号化アルゴリズムか、帯域拡張アルゴリズムか、あるいは上記双方のアルゴリズムを組み合わされたアルゴリズムかのいずれかを具備することも可能である。例えば、上記提示システムは、拡張ＡＭＲ−ＷＢ（ＡＭＲ−ＷＢ＋）コーデックを分割帯域符号化アルゴリズムとして利用するシステムと仮定されている。
【０００８】
入力オーディオ信号１は、２帯域分析フィルタバンク１１によりまず処理され、この２帯域分析フィルタバンク１１において、オーディオ周波数帯域はより低い周波数帯域とより高い周波数帯域とに分割される。例示として、図２は、ＡＭＲ−ＷＢ＋の場合の２帯域フィルタバンクの周波数応答の１例を示す図である。１２ｋＨｚオーディオ帯域は、０ｋＨｚ〜６.４ｋＨｚ帯域Ｌと、６.４ｋＨｚ〜１２ｋＨｚ帯域Ｈとに分割される。２−帯域分析フィルタバンク１１では、この結果生じる周波数帯域は臨界的にダウンサンプルされることになる。すなわち、低周波数帯域は１２.８ｋＨｚまでダウンサンプルされ、高周波数帯域は１１.２ｋＨｚまで再サンプルされる。
【０００９】
次いで、低周波数帯域と高周波数帯域とは、それぞれ、低帯域用エンコーダ１２と、高帯域用エンコーダ１３とによって互いに独立に符号化される。
【００１０】
低帯域用エンコーダ１２は、この目的のために十分な原信号符号化アルゴリズムを具備する。上記アルゴリズムには、代数的コード励起線形予測（ＡＣＥＬＰ）タイプのアルゴリズムと、変換ベースのアルゴリズムとが含まれる。実際に採用されるアルゴリズムはそれぞれ入力されているオーディオ信号の信号特性に基づいて選択される。上記ＡＣＥＬＰアルゴリズムは、典型的には、音声信号と、トランジェントとを符号化するために選択されるが、これに対して、上記変換ベースのアルゴリズムは、典型的には、音楽信号およびトーン様信号を符号化して、周波数分解能をより良好に処理するために選択される。
【００１１】
ＡＭＲ−ＷＢ＋コーデックでは、高帯域用エンコーダ１３は線形予測符号化（ＬＰＣ）を利用して、高周波数帯域信号のスペクトル包絡のモデル化を行う。次いで、上記合成済み信号のスペクトル特性を定義するＬＰＣ合成フィルタ係数、並びに、合成済み高周波数帯域オーディオ信号の振幅を制御する励起信号用の利得係数によって高周波数帯域について説明することができる。高帯域励起信号は低帯域用エンコーダ１２からコピーされる。上記ＬＰＣ係数と上記利得係数とは専ら送信用として出力される。
【００１２】
高帯域用エンコーダ１３と、低帯域用エンコーダ１２との出力は単一ビットストリーム２に多重化される。
【００１３】
多重化済みのビットストリーム２は、例えば通信チャンネルを介してオーディオデコーダ２０へ送信され、このオーディオデコーダ２０の中で低周波数帯域と高周波数帯域とは別個に復号化される。
【００１４】
低帯域用デコーダ２１では、低帯域用エンコーダ１２における上記処理が逆方向に行われ、低周波数帯域用オーディオ信号の合成が図られることになる。
【００１５】
高周波数帯域で使用されるサンプリングレートに合わせて低帯域用デコーダ２１が出力する低周波数帯域用励起信号の再サンプリングを行うことによって、高帯域用デコーダ２２において励起信号が生成される。すなわち、低周波数帯域信号を高周波数帯域へ極性反転することによって、低周波数帯域用励起信号が再使用され、高周波数帯域の復号化が図られることになる。上記とは別に、高周波数帯域信号の再構成を行うためにランダムな励起信号を生成することも可能である。次いで、上記ＬＰＣ係数によって定義された高帯域ＬＰＣモデルを介してスケールされた励起信号のフィルタリングを行うことにより高周波数帯域信号の再構成が行われる。
【００１６】
２帯域合成フィルタバンク２３では、上記復号化済み低周波数帯域信号と高周波数帯域信号とは原サンプリング周波数までアップサンプルされ、合成済みの出力オーディオ信号３と合成される。
【００１７】
符号化対象の入力オーディオ信号１はモノオーディオ信号や、少なくとも第１および第２のチャンネル信号を含むマルチチャンネルオーディオ信号であってもよい。マルチチャンネルオーディオ信号の１例として、左チャンネル信号と右チャンネル信号とから構成されるステレオオーディオ信号がある。
【００１８】
ＡＭＲ−ＷＢ＋コーデックのステレオ処理の場合、上記入力オーディオ信号は、２帯域分析フィルタバンク１１において低周波数帯域信号と高周波数帯域信号とに等しく分割される。低帯域用エンコーダ１２は、低周波数帯域において左チャンネル信号と右チャンネル信号を合成することによってモノ信号を生成する。上記モノ信号は上述のように符号化される。さらに、低帯域用エンコーダ１２はパラメトリック符号化を利用して、左右のチャンネル信号の違いをモノ信号へ符号化する。高帯域用エンコーダ１３は、個々のチャンネル用の個別の利得係数とＬＰＣ係数とを決定することによって左チャンネルと右チャンネルとを個別に符号化する。
【００１９】
入力オーディオ信号１がマルチチャンネルオーディオ信号であり、しかも、上記合成済みオーディオ信号３を提示する装置がマルチチャンネルのオーディオ出力をサポートしていない場合、マルチチャンネルビットストリーム２をオーディオデコーダ２０によってモノオーディオ信号に変換する必要がある。低周波数帯域側では、マルチチャンネル信号のモノ信号への変換が直接行われる。というのは、低帯域用デコーダ２１が、上記受信ビットストリーム内のステレオパラメータを単に省いて、モノ部分のみを復号化することが可能であるからである。高周波数帯域がない場合、さらに多くの処理が必要となる。というのは、高周波数帯域の個々のモノ信号部分はビットストリームの形では利用できないからである。
【００２０】
従来の方式では、高周波数帯域用のステレオビットストリームが左右のチャンネル信号用として個別に復号化され、次いで、ダウンミキシング処理時にモノ信号が左右のチャンネル信号を合成することによって、上記ステレオビットストリームが形成される。上記アプローチが図３に例示されている。
【００２１】
図３は、モノオーディオ信号出力用の図１の高帯域用デコーダ２２の細部を概略的に示す図である。高帯域用デコーダは、左チャンネル処理部３０と右チャンネル処理部３３とを具備する。左チャンネル処理部３０はＬＰＣ合成フィルタ３２と接続されたミキサ３１を備える。右チャンネル処理部３３も同様に、このミキサ３４はＬＰＣ合成フィルタ３５と接続されているミキサ３４を備えている。ＬＰＣ合成フィルタ３２、３５の双方の出力部はさらに別のミキサ３６と接続されている。
【００２２】
上記低帯域用デコーダ２１が出力した低周波数帯域用励起信号はミキサ３１と３４のいずれかのミキサへ送出される。ミキサ３１は左チャンネル用利得係数を低周波数帯域用励起信号へ印加する。次いで、左チャンネル高帯域信号は、左チャンネル用のＬＰＣ係数によって定義された高帯域ＬＰＣモデルを介して、スケール済みの励起信号のフィルタリングを行うことによって、ＬＰＣ合成フィルタ３２により再構成される。ミキサ３４は右チャンネル用利得係数を低周波数帯域用励起信号へ印加する。次いで、右チャンネル用のＬＰＣ係数によって定義された高帯域ＬＰＣモデルを介して、右チャンネル用の高帯域信号は、スケールされた励起信号のフィルタリングを行うことによりＬＰＣ合成フィルタ３５によって再構成される。
【００２３】
次いで、再構成された左チャンネル高周波数帯域信号並びに再構成された右チャンネル高周波数帯域信号は、時間領域における上記帯域信号の平均値を計算することによって、ミキサ３６によるモノ高周波数帯域信号に変換される。
【００２４】
上記は、原理的には、単純でかつ実際に使えるアプローチである。しかし、このアプローチは、たとえ最終的には単一のチャンネル信号が必要となる場合であっても、マルチチャンネルの固別の合成を必要とするものである。
【００２５】
さらに、マルチチャンネルオーディオ入力信号１が、マルチチャンネルオーディオ信号のエネルギのほとんどがチャンネルのうちの１つのチャンネルにかかるような非平衡な信号である場合、それらの平均値の計算によるマルチチャンネルの直接ミキシングが結果として合成信号の減衰を生じることになる。極端な場合、チャンネルのうちの１つのチャンネルが完全に無音になった結果、合成信号のエネルギレベルが、原アクティブ入力チャンネルのエネルギレベルの１／２になることもある。
【発明の開示】
【発明が解決しようとする課題】
【００２６】
符号化済みマルチチャンネルオーディオ信号に基づくモノオーディオ信号の合成に必要な処理時の負荷を減らすことが本発明の目的である。
【課題を解決するための手段】
【００２７】
利用可能な符号化済みマルチチャンネルオーディオ信号に基づいてモノオーディオ信号を合成する方法が提案され、上記符号化済みマルチチャンネルオーディオ信号は、少なくともオーディオ周波数帯域の一部の帯域用として、上記マルチチャンネルオーディオ信号の個々のチャンネル用の個別のパラメータ値を含む。上記提案された方法は、少なくともオーディオ周波数帯域の一部の帯域用として、上記パラメータ領域において上記マルチチャンネルのパラメータ値を組み合わせるステップを具備する。上記提案された方法は、少なくともオーディオ周波数帯域の一部の帯域用として、モノオーディオ信号を合成するために上記組み合わされたパラメータ値を利用するステップをさらに具備する。
【００２８】
さらに、利用可能な符号化済みマルチチャンネルオーディオ信号に基づいてモノオーディオ信号を合成するためのオーディオデコーダが提案される。符号化済みマルチチャンネルオーディオ信号には、原マルチチャンネルオーディオ信号の少なくともオーディオ周波数帯域の一部の帯域用として、前記マルチチャンネルオーディオ信号の個々のチャンネル用の個別のパラメータ値が含まれる。提案されたオーディオデコーダは、少なくともマルチチャンネルオーディオ信号の周波数帯域の一部の帯域用として、パラメータ領域においてマルチチャンネルのパラメータ値を組み合わせるように為す少なくとも１つのパラメータ選択部を具備する。提案されたオーディオデコーダは、パラメータ選択部が出力した組み合わされたパラメータに基づいて、少なくとも、マルチチャンネルオーディオ信号の周波数帯域の一部の帯域用モノオーディオ信号を合成するように為すオーディオ信号合成部をさらに具備する。
【００２９】
さらに、提案されたデコーダに加えて、符号化済みマルチチャンネルオーディオ信号を出力するオーディオエンコーダを具備する符号化システムが提案される。
【００３０】
最後に、利用可能な符号化済みマルチチャンネルオーディオ信号に基づいてモノオーディオ信号を合成するためのソフトウェアコードが格納されたソフトウェアプログラム製品が提案される。符号化済みマルチチャンネルオーディオ信号には、少なくとも原マルチチャンネルオーディオ信号の一部の帯域用として、マルチチャンネルオーディオ信号の個々のチャンネル用の個別のパラメータ値が含まれる。提案されたソフトウェアコードは、オーディオデコーダで実行しているとき、提案された方法ステップを実行する。
【００３１】
特に、符号化済みマルチチャンネルオーディオ信号は、排他的にというわけではないが、符号化済みステレオオーディオ信号であってもよい。
【００３２】
本発明は、これらのマルチチャンネル用として利用可能なパラメータ値が、復号化前にパラメータ領域の中で予め組み合わされている場合、モノオーディオ信号を取得するために、利用可能なマルチチャンネルの個別の復号化を回避することができるという考察から進行するものである。この時、組み合わされたパラメータ値は単一チャンネル用として利用することが可能となる。
【００３３】
本発明によって、デコーダ側における処理時の負荷の節減が可能となること、並びに、デコーダの複雑さが減らされることが本発明の利点である。マルチチャンネルが分割帯域システムで処理されるステレオチャンネルである場合、例えば、双方のチャンネルに対して高周波数帯域合成フィルタリングを個々に実施し、結果として生じる左右のチャンネル信号のミキシングを行う場合と比較すると、高周波数帯域合成フィルタリングに必要な処理時の負荷のほぼ１／２の節減が可能となる。
【００３４】
本発明の１つの実施形態では、上記パラメータにはマルチチャンネルの各マルチチャンネル用利得係数と、マルチチャンネルの各マルチチャンネル用線形予測係数とが含まれることになる。
【００３５】
例えば、すべてのチャンネルを介して一般に利用可能なパラメータ値の平均値を計算することによって、静的な方法でパラメータ値の組み合わせを実現することも可能である。しかし、好適には、マルチチャンネルにおけるそれぞれの活動に関する情報に基づいて、少なくとも１つのパラメータ用のパラメータ値の組み合わせを制御することが望ましい。こうすることによって、スペクトル特性と信号レベルとをそれぞれのアクティブチャンネルにおけるスペクトル特性と信号レベルとに可能なかぎり近づけてモノオーディオ信号を達成し、それによって合成されたモノオーディオ信号の改善されたオーディオ品質を達成することが可能となる。
【００３６】
第１のチャンネルでの活動の方が第２のチャンネルの場合よりも著しく高い場合、第１のチャンネルがアクティブチャンネルになるものと仮定することが可能であり、一方、第２のチャンネルが原オーディオ信号に対して基本的に耳に聞こえるだけの寄与をしない無音チャンネルとなるように仮定することが可能である。無音チャンネルが存在する場合、パラメータ値を組み合わせるとき、少なくとも１つのパラメータのパラメータ値を完全に無視することが望ましい。この結果、合成されたモノ信号はアクティブチャンネルと類似の信号になる。他のすべての場合、例えば、平均値またはすべてのチャンネルにわたる加重平均値を形成することによってパラメータ値を組み合わせることも可能である。加重平均の場合、チャンネルに割り当てられた重み付けは、その他の単複のチャンネルと比較されるチャンネルの相対的活動と共に上昇する。別の方法も上記組み合わせの実施に同様に利用可能である。同様に、平均値の計算や別の何らかの方法によって、アクティブチャンネルのパラメータ値と、破棄すべきではない無音チャンネル用パラメータ値を組み合わせるようにすることも可能である。
【００３７】
種々のタイプの情報によって、マルチチャンネルにおけるそれぞれの活動に関する情報を形成することも可能である。例えば、マルチチャンネルの各マルチチャンネル用利得係数によって、マルチチャンネルの各マルチチャンネル用の短時間にわたる利得係数の組み合わせによって、あるいは、マルチチャンネルの各マルチチャンネル用線形予測係数によって上記情報を示すことも可能である。同様に、マルチチャンネルの各マルチチャンネル用のマルチチャンネルオーディオ信号の周波数帯域における少なくとも一部の帯域のエネルギレベルによって、あるいは、符号化済みマルチチャンネルオーディオ信号を出力するエンコーダから受信した活動に関する個別のサイド情報によって、活動情報を示すことも可能である。
【００３８】
符号化済みマルチチャンネルオーディオ信号を取得するために、原マルチチャンネルオーディオ信号を例えば低周波数帯域信号と高周波数帯域信号とに分割することも可能である。この場合、低周波数帯域信号を通常の方法で符号化してもよい。また、マルチチャンネル用の高周波数帯域信号を通常の方法で個別に符号化することも可能であり、この結果、マルチチャンネルの各マルチチャンネル用のパラメータ値が得られることになる。この時、符号化済みマルチチャンネルオーディオ信号全体のうちの少なくとも符号化済み高周波数帯域部分を本発明に基づいて処理することも可能である。
【００３９】
しかし、同様に、信号全体のうちの低周波数帯域部分のマルチチャンネルのパラメータ値を本発明に基づいて処理して、例えば信号レベルにおけるインバランスなどの、低周波数帯域と高周波数帯域間のインバランスの防止を図るようにすることも可能である旨を理解する必要がある。上記とは別に、高周波数帯域での無音チャンネル用のパラメータ値であって、信号レベルに影響を与えるパラメータ値が実際には破棄されずに、信号のスペクトル特性に影響を与える無音チャンネル用のパラメータ値のみが破棄される場合が考えられる。
【００４０】
本発明は、排他的なものではないが、例えばＡＭＲ−ＷＢ＋ベースの符号化システムにおいて実現可能である。
【００４１】
本発明の他の目的と特徴は、添付図面と関連して考察される以下の詳細な説明から明らかになる。
【発明を実施するための最良の形態】
【００４２】
本発明は、図１のシステムで実施されるものとして仮定されている。したがって以下の説明でも図１を参照することにする。符号化を行うために入力オーディオ信号１をオーディオエンコーダ１０へ出力し、一方、オーディオデコーダ２０は表示用として復号化済みモノオーディオ信号３を出力する必要がある。
【００４３】
このようなモノオーディオ信号３を処理時の低い負荷によって出力できるようにするために、本発明の第１の単純な実施形態に従ってシステムの高帯域用デコーダ２２を実現することも可能である。
【００４４】
図４はこの高帯域用デコーダ２２の概略ブロック図である。高帯域用デコーダ２２の低帯域励起入力部は、ミキサ４０およびＬＰＣ合成フィルタ４１を介して高帯域用デコーダ２２の出力部と接続される。高帯域用デコーダ２２は平均値計算ブロック４２を具備し、利得平均値計算ブロック４２は上記ミキサ、並びに、ＬＰＣ合成フィルタ４１と接続されたＬＰＣ平均値計算ブロック４３と接続される。
【００４５】
システムは以下のように作動する。
【００４６】
オーディオエンコーダ１０へのステレオ信号入力は、２帯域分析フィルタバンク１１によって低周波数帯域と高周波数帯域とに分割される。低帯域用エンコーダ１１は、上述のように低周波数帯域オーディオ信号を符号化する。ＡＭＲ−ＷＢ＋高帯域用エンコーダ１２は、左右のチャンネル用の高帯域ステレオ信号を個別に符号化する。さらに詳細には、ＡＭＲ−ＷＢ＋高帯域用エンコーダ１２は、上述のように、個々のチャンネル用利得係数と線形予測係数とを決定する。
【００４７】
符号化済みモノ低周波数帯域信号と、ステレオ低周波数帯域パラメータ値と、ステレオ高周波数帯域パラメータ値とは、ビットストリーム２の形でオーディオデコーダ２０へ送信される。
【００４８】
低帯域用デコーダ２１は復号化用のビットストリームの低周波数帯域部分を受信する。この復号化時に、低帯域用デコーダ２１はステレオパラメータを省き、モノ部分のみを復号化する。この結果、モノ低周波数帯域オーディオ信号が得られることになる。
【００４９】
高帯域用デコーダ２２は、送信されたビットストリームから高周波数帯域パラメータ値を一方で受信し、他方で低帯域用デコーダ２１によって出力された低帯域励起信号を受信する。
【００５０】
高周波数帯域パラメータには、それぞれ、左チャンネル用利得係数と、右チャンネル用利得係数と、左チャンネルＬＰＣ係数と、右チャンネルＬＰＣ係数とが含まれる。平均値計算ブロック４２では、左チャンネル用および右チャンネル用のそれぞれの利得係数の平均値が計算され、この平均利得係数はミキサ４０により利用され、低帯域励起信号のスケーリングが行われる。この結果生じる信号はフィルタリング用としてＬＰＣ合成フィルタ４１へ出力される。
【００５１】
平均ＬＰＣ計算ブロック４３では、左チャンネル用および右チャンネル用のそれぞれの線形予測係数が組み合わされる。ＡＭＲ−ＷＢ＋では、例えば、イミッタンス・スペクトル・ペア（ＩＳＰ）領域内で受信した係数にわたる平均値を計算することによって、双方のチャンネルからＬＰＣ係数の組み合わせをつくることができる。次いで、平均係数はＬＰＣ合成フィルタ４１の構成に利用され、スケールされた低帯域励起信号はこのＬＰＣ合成フィルタ４１に従うことになる。
【００５２】
スケールされ、フィルタされた低帯域励起信号は所望のモノ高帯域オーディオ信号を形成する。
【００５３】
モノ低帯域オーディオ信号とモノ高帯域オーディオ信号とが２帯域合成フィルタバンク２３で合成され、この結果生じる合成済み信号３は表示用として出力される。
【００５４】
図３の高帯域用エンコーダを使用するシステムと比較すると、図４の高帯域用エンコーダを使用するシステムには、合成済み信号を生成するための処理パワーのほぼ１／２しか必要としないという利点がある。というのは、合成済み信号が生成されるのは一回だけだからである。
【００５５】
但し、上記チャンネルのうち唯一のチャンネルの中にアクティブ信号入力部を有するステレオオーディオの場合には、合成信号で生じる可能性のある減衰という上述の問題は残ることに留意する必要がある。
【００５６】
さらに、上記唯一のアクティブチャンネルを有するステレオオーディオ入力信号の場合、線形予測係数の平均値の計算は、結果として生じる合成信号の中にスペクトルの‘平坦化’という望ましくない副作用が生じることになる。アクティブチャンネルのスペクトル特性を有する代わり、アクティブチャンネルの前記‘実在の’スペクトルと無音チャンネルの実際には平坦なまたはランダム様スペクトルとの組み合わせに起因して、合成信号がいくぶん歪められたスペクトル特性を有することになる。
【００５７】
この影響が図５に例示されている。図５は、８０ｍｓのフレームにわたって計算された３つの異なるＬＰＣ合成フィルタ周波数応答に対して、周波数にわたる振幅を描くグラフである。実線はアクティブチャンネルのＬＰＣ合成フィルタ周波数応答を表わす。点線は無音チャンネルのＬＰＣ合成フィルタ周波数応答を表わす。破線は、ＩＳＰ領域の中で双方のチャンネルからのＬＰＣモジュールの平均値を計算するとき、結果として生じるＬＰＣ合成フィルタ周波数応答を表わす。平均値の計算が行われたＬＰＣフィルタが、実在のスペクトルのいずれにも厳密には似ていないスペクトルを作成するものであることがわかる。実際には高周波数帯域での低下したオーディオ品質としてこの現象を耳で聞くことが可能である。
【００５８】
処理時に低い負荷を伴うモノオーディオ信号３の出力だけでなく、高帯域用デコーダに関する図４の未解決の別の制約条件を回避するモノオーディオ信号３の出力も可能にするために、本発明の第２の実施形態に従って図１のシステムの高帯域用デコーダ２２を実装してもよい。
【００５９】
図６はこのような高帯域用デコーダ２２の概略ブロック図である。高帯域用デコーダ２２の低帯域励起入力部は、ミキサ６０およびＬＰＣ合成フィルタ６１を介して高帯域用デコーダ２２の出力部と接続される。高帯域用デコーダ２２はさらに、ミキサ６０と接続された利得選択論理回路６２、並びに、ＬＰＣ合成フィルタ６１と接続されたＬＰＣ選択論理回路６３を具備する。
【００６０】
図６の高帯域用エンコーダを使用するシステム２２での処理について図７を参照しながら以下説明する。図７は、フローチャートの上部にオーディオエンコーダ１０での処理を描き、その下部にシステムのオーディオデコーダ２０での処理を描くフローチャートである。上部と下部とは水平破線によって分けられている。
【００６１】
エンコーダへのステレオオーディオ信号入力１は２帯域分析フィルタバンク１１によって低周波数帯域と高周波数帯域とに分割される。低帯域用エンコーダ１２は低周波数帯域を符号化する。ＡＭＲ−ＷＢ＋高帯域用エンコーダ１３は左右のチャンネル用高周波数帯域を個別に符号化する。さらに詳細には、ＡＭＲ−ＷＢ＋高帯域用エンコーダ１３は双方のチャンネル用の専用利得係数と線形予測係数とを高周波数帯域パラメータとして決定する。
【００６２】
符号化済みモノ低周波数帯域信号と、ステレオ低周波数帯域パラメータ値と、ステレオ高周波数帯域パラメータ値とがビットストリーム２の形でオーディオデコーダ２０へ送信される。
【００６３】
低帯域用デコーダ２１はビットストリーム２の低周波数帯域関連部分を受信し、この部分を復号化する。復号化時に、低帯域用デコーダ２１は受信済みのステレオパラメータを省き、モノ部分のみを復号化する。この結果としてモノ低帯域オーディオ信号が得られる。
【００６４】
高帯域用デコーダ２２は、一方で、左チャンネル用利得係数、右チャンネル用利得係数、左チャンネル用線形予測係数および右チャンネル用線形予測係数を受信し、他方で、低帯域用デコーダ２１が出力した低帯域励起信号を受信する。左チャンネル用利得と右チャンネル用利得とはチャンネル活動情報と同時に利用される。代わりに、高周波数帯域における活動分布を左右のチャンネルへ示す別の或るチャンネル活動情報を追加パラメータとして高帯域用エンコーダ１３により提供することも可能であることに留意する必要がある。
【００６５】
チャンネル活動情報が評価され、利得選択論理回路６２によって左チャンネル用と右チャンネル用利得係数が単一の利得係数に対する評価に基づいて組み合わされる。次いで、ミキサ６０によって低帯域用デコーダ２１が出力した低周波数帯域励起信号に上記選択した利得が印加される。
【００６６】
さらに、左チャンネル用および右チャンネル用のＬＰＣ係数は、単一セットのＬＰＣ係数に対する評価に従ってＬＰＣモデル選択論理回路６３により組み合わされる。組み合わされたＬＰＣモデルはＬＰＣ合成フィルタ６１へ供給される。ＬＰＣ合成フィルタ６１は、ミキサ６０が出力したスケール済み低周波数帯域励起信号に対して選択済みＬＰＣモデルを印加する。
【００６７】
次いで、結果として生じる高周波数帯域オーディオ信号は、２帯域合成フィルタバンク２３において、モノ全帯域オーディオ信号へのモノ低周波数帯域オーディオ信号と合成される。このモノ全帯域オーディオ信号は、ステレオオーディオ信号の処理能力を備えていない表示装置用としてまたはアプリケーション用として出力することも可能である。
【００６８】
図７のフローチャートの２重線のブロックとして示されるチャンネル活動情報の提案された評価並びに後続するパラメータ値の組み合わせを様々な方法で実行することができる。図８と図９のフローチャートを参照しながら２つのオプションを示すことにする。
【００６９】
図８に例示の第１のオプションでは、１つのフレームの継続時間にわたる左チャンネル用利得係数の平均値の計算がまず行われ、次いで、同じ様に１つのフレームの継続時間にわたる右チャンネル用利得係数の平均値の計算が行われる。
【００７０】
次いで、右チャンネル用利得の平均値が左チャンネル用利得の平均値から減算され、その結果、個々のフレームについて或る一定の利得差が得られることになる。
【００７１】
この利得差が第１のしきい値よりも小さければ、このフレーム用として組み合わされた利得係数は右チャンネル用として与えられる利得係数に等しくセットされる。さらに、このフレーム用として組み合わされたＬＰＣモデルは、右チャンネル用として与えられるＬＰＣモデルに等しくセットされる。
【００７２】
上記利得差が第２のしきい値よりも大きくなった場合、このフレーム用として組み合わされた利得係数は左チャンネル用として与えられる利得係数に等しくセットされる。さらに、このフレーム用として組み合わされたＬＰＣモデルは、左チャンネル用として設けられたＬＰＣモデルに等しくセットされる。
【００７３】
他のすべての場合、上記フレーム用として組み合わされた利得係数は左チャンネル用のそれぞれの利得係数並びに右チャンネル用のそれぞれの利得係数にわたる平均値に等しくセットされる。このフレーム用として組み合わされたＬＰＣモデルは、左チャンネル用のそれぞれのＬＰＣモデル、並びに、右チャンネル用のそれぞれのＬＰＣモデルにわたる平均値に等しくなるようにセットされる。
【００７４】
第１のしきい値と第２のしきい値とは、所望の感度、および、ステレオからモノへの変換を必要とするアプリケーションタイプに依存して選択される。適切な値としては、例えば、第１のしきい値用として−２０ｄＢおよび第２のしきい値用として２０ｄＢなどがある。
【００７５】
したがって、それぞれのフレームの間、これらのチャンネルのうちの一方のチャンネルが無音チャンネルと考えられ、それに対して他方のチャンネルがアクティブなチャンネルと考えることができる場合、平均利得係数の大きな違いに起因して、利得係数と無音チャンネルのＬＰＣモデルとはフレームの継続時間の間無視されることになる。これは生じる可能性のあることである。というのは、無音チャンネルはミックスされたオーディオ出力装置に対して耳に聞こえるだけの寄与をしていないからである。パラメータ値のこのような組み合わせによって、スペクトル特性と信号レベルとがそれぞれのアクティブチャンネルに可能なかぎり近くなることが保証されることになる。
【００７６】
高周波数帯域処理に関連して上記したように、ステレオパラメータを省く代わりに、低帯域用デコーダが、組み合わされたパラメータ値を形成して、これらのパラメータ値を信号のモノ部分に印加することも可能であることに留意する必要がある。
【００７７】
図９に例示のパラメータ値を組み合わせる第２のオプションでは、左チャンネル用利得係数と、右チャンネル用利得係数との平均値も１つのフレームの継続時間にわたってそれぞれ計算される。
【００７８】
次いで、右チャンネルの平均利得が、左チャンネルの平均利得から減算され、その結果、個々のフレームについて或る一定の利得差が得られることになる。
【００７９】
上記利得差が第１の低いしきい値よりも小さければ、このフレーム用の組み合わされたＬＰＣモデルは、右チャンネル用として与えられるＬＰＣモデルに等しくセットされる。
【００８０】
上記利得差が第２の高いしきい値よりも大きければ、このフレーム用の組み合わされたＬＰＣモデルは左チャンネル用として与えられるＬＰＣモデルにセットされる。
【００８１】
他のすべての場合、このフレーム用の組み合わされたＬＰＣモデルは、左チャンネル用のそれぞれのＬＰＣモデル、および、右チャンネル用のそれぞれのＬＰＣモデルにわたる平均値に等しくなるようにセットされる。
【００８２】
フレーム用の上記組み合わされた利得係数は、いずれの場合にも、左チャンネル用のそれぞれの利得係数および右チャンネル用のそれぞれの利得係数にわたる平均値に等しくにセットされる。
【００８３】
ＬＰＣ係数は合成済み信号のスペクトル特性のみに対して直接影響を与える。したがって、ＬＰＣ係数のみの合成によって、結果的に所望のスペクトル特性が得られることになるが、この合成は信号減衰の問題を解決するものではない。しかし、上記ＬＰＣ係数のみの合成には、本発明に準拠して低周波数帯域がミックスされていない場合、低周波数帯域と高周波数帯域間のバランスが保持されるという利点がある。高周波数帯域での信号レベルの保持は、相対的に過度に大きな音の信号を高周波数帯域に導入することによって、低周波数帯域と高周波数帯域間のバランスを変化させることになり、これは結果としておそらく低下した主観的オーディオ品質を生じることになる。
【００８４】
記載の実施形態は、多くの点でさらに修正が可能な、多様な形態をとる実施形態のうちのいくつかの実施形態にすぎないことを付記しておく必要がある。
【図面の簡単な説明】
【００８５】
【図１】分割帯域符号化システムの概略ブロック図である。
【図２】２帯域フィルタバンクの周波数応答を示すグラフである。
【図３】ステレオからモノへ変換するための従来型の高帯域用デコーダの概略ブロック図である。
【図４】本発明の第１の実施形態に従うステレオからモノへ変換するための高帯域用デコーダの概略ブロック図である。
【図５】図４の高帯域用デコーダを用いた結果生じる、ステレオ信号用、並びに、モノ信号用の周波数応答を例示するグラフである。
【図６】本発明の第２の実施形態に従うステレオからモノへ変換するための高帯域用デコーダの概略ブロック図である。
【図７】図６の高帯域用デコーダを使用するシステムにおける処理を例示するフローチャートである。
【図８】図７のフローチャートにおけるパラメータを組み合わせるための第１のオプションを例示するフローチャートである。
【図９】図７のフローチャートにおけるパラメータを組み合わせるための第２のオプションを例示するフローチャートである。
【図１】
2007529031.tif 000003
【図２】
2007529031.tif 000004
【図３】
2007529031.tif 000005
【図４】
2007529031.tif 000006
【図５】
2007529031.tif 000007
【図６】
2007529031.tif 000008
【図７】
2007529031.tif 000009
【図８】
2007529031.tif 000010
【図９】
2007529031.tif 000011
【手続補正書】
【提出日】平成18年10月17日(2006.10.17)
【手続補正１】
【補正対象書類名】特許請求の範囲
【補正対象項目名】全文
【補正方法】変更
【補正の内容】
【特許請求の範囲】
【請求項１】
利用可能な符号化済みマルチチャンネルオーディオ信号に基づいてモノオーディオ信号を合成する方法であって、前記符号化済みマルチチャンネルオーディオ信号が、少なくともオーディオ周波数帯域の一部の帯域用として、前記マルチチャンネルオーディオ信号の個々のチャンネル用の個別のパラメータ値を含み、少なくともオーディオ周波数帯域の一部の帯域用として、
前記パラメータ領域の中で前記マルチチャンネルのパラメータ値を組み合わせるステップと、
モノオーディオ信号を合成するために前記組み合わされたパラメータ値を利用するステップと、を具備し、
前記パラメータ値を組み合わせるステップが、前記マルチチャンネルにおけるそれぞれの活動に関する情報に基づいて少なくとも１つのパラメータに対して制御される方法。
【請求項２】
前記パラメータが前記マルチチャンネルの各マルチチャンネル用利得係数と、前記マルチチャンネルの各マルチチャンネル用線形予測係数とを含む請求項１に記載の方法。
【請求項３】
請求項１又は２に記載の方法であって、前記マルチチャンネルにおけるそれぞれの活動に関する前記情報が、
前記マルチチャンネルの各マルチチャンネル用利得係数と、
前記マルチチャンネルの各マルチチャンネル用の短時間にわたる利得係数の組み合わせと、
前記マルチチャンネルの各マルチチャンネル用線形予測係数と、
前記マルチチャンネルの各マルチチャンネル用の前記マルチチャンネルオーディオ信号の周波数帯域の少なくとも一部の帯域におけるエネルギレベルと、
前記符号化済みマルチチャンネルオーディオ信号を出力する符号化端部から受信した前記活動に関する個別のサイド情報と、のうちの少なくとも１つを含む方法。
【請求項４】
前記マルチチャンネルにおける活動に関する前記情報によって、前記マルチチャンネルのうちの第１のマルチチャンネルにおける活動の方が、前記マルチチャンネルのうちの少なくとも１つの別のマルチチャンネルの場合よりも著しく低いことが示された場合、前記第１のチャンネル用として利用可能な少なくとも１つのパラメータの値を無視する請求項１から３のいずれか一項に記載の方法。
【請求項５】
前記マルチチャンネルにおける活動に関する前記情報によって、前記マルチチャンネルのうちの第１のマルチチャンネルにおける活動の方が、前記マルチチャンネルのうちの少なくとも１つの別のマルチチャンネルの場合よりも著しく低いことが示された場合、前記マルチチャンネル用として利用可能な少なくとも１つの別のパラメータの値の平均値を計算する請求項４に記載の方法。
【請求項６】
前記マルチチャンネルにおける活動に関する前記情報によって、前記マルチチャンネルのうちの第１のマルチチャンネルにおける活動の方が、前記マルチチャンネルのうちの少なくとも１つの別のマルチチャンネルの場合よりも著しく低いことが示されなかった場合、前記マルチチャンネル用として利用可能な前記マルチチャンネルの値の平均値を計算する請求項１から５のいずれか一項に記載の方法。
【請求項７】
前記マルチチャンネル信号がステレオ信号である請求項１から６のいずれか一項に記載の方法。
【請求項８】
原マルチチャンネルオーディオ信号を低周波数帯域信号と高周波数帯域信号とに分割し、前記低周波数信号を符号化し、前記マルチチャンネル用の前記高周波数帯域信号を個別に符号化する先行するステップを具備し、この結果として前記マルチチャンネルの各マルチチャンネル用の前記パラメータ値を得る方法であって、前記高周波数帯域信号用として上記の結果得られた少なくとも前記パラメータ値を前記モノオーディオ信号を合成するために組み合わせる請求項１から７のいずれか一項に記載の方法。
【請求項９】
利用可能な符号化済みマルチチャンネルオーディオ信号に基づいてモノオーディオ信号を合成するオーディオデコーダであり、前記符号化済みマルチチャンネルオーディオ信号が、少なくとも原マルチチャンネルオーディオ信号のオーディオ周波数帯域の一部の帯域用として前記マルチチャンネルオーディオ信号の個々のチャンネル用の個別のパラメータ値を含み、
少なくとも前記マルチチャンネルオーディオ信号の周波数帯域の一部の帯域用として、前記パラメータ領域の中で前記マルチチャンネルのパラメータ値を組み合わせるように為す少なくとも１つのパラメータ選択部と、
前記少なくとも１つのパラメータ選択部が出力した組み合わされたパラメータ値に基づいて、少なくとも前記マルチチャンネルオーディオ信号の周波数帯域の一部の帯域用として、モノオーディオ信号を合成するように為すオーディオ信号合成部と、を具備するオーディオデコーダであって、
前記パラメータ選択部が、前記マルチチャンネルにおけるそれぞれの活動に関する情報に基づいて、少なくとも１つのパラメータ用として前記パラメータ値を組み合わせるように為すオーディオデコーダ。
【請求項１０】
前記パラメータが前記マルチチャンネルの各マルチチャンネル用利得係数と、前記マルチチャンネルの各マルチチャンネル用線形予測係数とを含む請求項９に記載のオーディオデコーダ。
【請求項１１】
請求項９又は１０に記載のオーディオデコーダであって、前記マルチチャンネルにおけるそれぞれの活動に関する前記情報が、
前記マルチチャンネルの各マルチチャンネル用利得係数と、
前記マルチチャンネルの各マルチチャンネル用の短時間にわたる利得係数の組み合わせと、
前記マルチチャンネルの各マルチチャンネル用線形予測係数と、
前記マルチチャンネルの各マルチチャンネル用の前記マルチチャンネルオーディオ信号の周波数帯域の少なくとも一部の帯域におけるエネルギレベルと、
前記符号化済みマルチチャンネルオーディオ信号を出力する符号化端部から受信した前記活動に関する個別のサイド情報と、のうちの少なくとも１つを含むオーディオデコーダ。
【請求項１２】
前記マルチチャンネルにおける活動に関する前記情報によって、前記第１のチャンネルにおける活動の方が、前記マルチチャンネルのうちの少なくとも１つの別のマルチチャンネルにおける場合よりも著しく低いことが示された場合に、前記マルチチャンネルのうちの第１のマルチチャンネル用として利用可能な少なくとも１つのパラメータの値を組み合わせる前記ステップ時に、前記パラメータ選択部を無視するように為す請求項９乃至１１のいずれか一項に記載のオーディオデコーダ。
【請求項１３】
前記マルチチャンネルにおける活動に関する前記情報によって、前記マルチチャンネルのうちの前記第１のチャンネルにおける活動の方が、前記マルチチャンネルのうちの少なくとも１つの別のマルチチャンネルにおける場合よりも著しく低いことが示された場合に、前記パラメータ選択部が、前記マルチチャンネル用として利用可能な少なくとも１つの別のパラメータの値の平均値を計算するように為す請求項１２に記載のオーディオデコーダ。
【請求項１４】
前記マルチチャンネルにおける活動に関する前記情報によって、前記マルチチャンネルのうちの第１のマルチチャンネルにおける活動の方が、少なくとも１つの前記マルチチャンネルのうちの別のマルチチャンネルの場合よりも著しく低いことが示されなかった場合、前記パラメータ選択部が、前記マルチチャンネル用として利用可能な前記パラメータの値の平均値を計算するように為す請求項９乃至１３のいずれか一項に記載のオーディオデコーダ。
【請求項１５】
前記マルチチャンネル信号がステレオ信号である請求項９乃至１４のいずれか一項に記載のオーディオデコーダ。
【請求項１６】
請求項９乃至１５のいずれか一項に記載のオーディオデコーダを備えた移動端末装置。
【請求項１７】
オーディオエンコーダと、請求項９乃至１５のいずれか一項に記載のオーディオデコーダとを備えた符号化システムであって、前記オーディオエンコーダが、符号化済みマルチチャンネルオーディオ信号であって、少なくとも原マルチチャンネルオーディオ信号の周波数帯域の一部の帯域用として、前記マルチチャンネルオーディオ信号の個々のチャンネル用の個別のパラメータ値を含む前記符号化済みマルチチャンネルオーディオ信号を出力する符号化システム。
【請求項１８】
前記オーディオエンコーダが、前記マルチチャンネルでの活動に関する情報を決定するように為し、さらに、前記オーディオデコーダによって利用できるように前記情報を提供する評価用コンポーネントを具備する請求項１７に記載の符号化システム。
【請求項１９】
利用可能な符号化済みマルチチャンネルオーディオ信号に基づいてモノオーディオ信号を合成するプログラムであって、前記符号化済みマルチチャンネルオーディオ信号が、少なくともオーディオ周波数帯域の一部の帯域用として、前記マルチチャンネルオーディオ信号の個々のチャンネル用の個別のパラメータ値を含み、前記プログラムはコンピュータに、
前記パラメータ領域の中で前記マルチチャンネルのパラメータ値を組み合わせるステップと、
モノオーディオ信号を合成するために前記組み合わされたパラメータ値を利用するステップと、を実行させ、
前記パラメータ値を組み合わせるステップが、前記マルチチャンネルにおけるそれぞれの活動に関する情報に基づいて少なくとも１つのパラメータに対して制御されるプログラム。
【請求項２０】
前記パラメータが前記マルチチャンネルの各マルチチャンネル用利得係数と、前記マルチチャンネルの各マルチチャンネル用線形予測係数とを含む請求項１９に記載のプログラム。
【請求項２１】
請求項１９又は２０に記載のプログラムであって、前記マルチチャンネルにおけるそれぞれの活動に関する前記情報が、
前記マルチチャンネルの各マルチチャンネル用利得係数と、
前記マルチチャンネルの各マルチチャンネル用の短時間にわたる利得係数の組み合わせと、
前記マルチチャンネルの各マルチチャンネル用線形予測係数と、
前記マルチチャンネルの各マルチチャンネル用の前記マルチチャンネルオーディオ信号の周波数帯域の少なくとも一部の帯域におけるエネルギレベルと、
前記符号化済みマルチチャンネルオーディオ信号を出力する符号化端部から受信した前記活動に関する個別のサイド情報と、のうちの少なくとも１つを含むプログラム。
【請求項２２】
前記マルチチャンネルにおける活動に関する前記情報によって、前記マルチチャンネルのうちの第１のマルチチャンネルにおける活動の方が、前記マルチチャンネルのうちの少なくとも１つの別のマルチチャンネルの場合よりも著しく低いことが示された場合、前記第１のチャンネル用として利用可能な少なくとも１つのパラメータの値を無視する請求項１９から２１のいずれか一項に記載のプログラム。
【請求項２３】
前記マルチチャンネルにおける活動に関する前記情報によって、前記マルチチャンネルのうちの第１のマルチチャンネルにおける活動の方が、前記マルチチャンネルのうちの少なくとも１つの別のマルチチャンネルの場合よりも著しく低いことが示された場合、前記マルチチャンネル用として利用可能な少なくとも１つの別のパラメータの値の平均値を計算する請求項２２に記載のプログラム。
【請求項２４】
前記マルチチャンネルにおける活動に関する前記情報によって、前記マルチチャンネルのうちの第１のマルチチャンネルにおける活動の方が、前記マルチチャンネルのうちの少なくとも１つの別のマルチチャンネルの場合よりも著しく低いことが示されなかった場合、前記マルチチャンネル用として利用可能な前記マルチチャンネルの値の平均値を計算する請求項１９から２３のいずれか一項に記載のプログラム。
【請求項２５】
前記マルチチャンネル信号がステレオ信号である請求項１９から２４のいずれか一項に記載のプログラム。
【請求項２６】
原マルチチャンネルオーディオ信号を低周波数帯域信号と高周波数帯域信号とに分割し、前記低周波数信号を符号化し、前記マルチチャンネル用の前記高周波数帯域信号を個別に符号化する先行するステップを具備し、この結果として前記マルチチャンネルの各マルチチャンネル用の前記パラメータ値を得る方法であって、前記高周波数帯域信号用として上記の結果得られた少なくとも前記パラメータ値を前記モノオーディオ信号を合成するために組み合わせる請求項１９から２５のいずれか一項に記載のプログラム。
【請求項２７】
プログラムを記録したコンピュータ読み取り可能記録媒体であって、前記プログラムは、
利用可能な符号化済みマルチチャンネルオーディオ信号に基づいてモノオーディオ信号を合成するために使用されるものであり、前記符号化済みマルチチャンネルオーディオ信号が、少なくともオーディオ周波数帯域の一部の帯域用として、前記マルチチャンネルオーディオ信号の個々のチャンネル用の個別のパラメータ値を含み、前記プログラムはコンピュータに、
前記パラメータ領域の中で前記マルチチャンネルのパラメータ値を組み合わせるステップと、
モノオーディオ信号を合成するために前記組み合わされたパラメータ値を利用するステップと、を実行させ、
前記パラメータ値を組み合わせるステップが、前記マルチチャンネルにおけるそれぞれの活動に関する情報に基づいて少なくとも１つのパラメータに対して制御されるコンピュータ読み取り可能記録媒体。
【請求項２８】
前記パラメータが前記マルチチャンネルの各マルチチャンネル用利得係数と、前記マルチチャンネルの各マルチチャンネル用線形予測係数とを含む請求項２７に記載のコンピュータ読み取り可能記録媒体。
【請求項２９】
請求項２７又は２８に記載のコンピュータ読み取り可能記録媒体であって、前記マルチチャンネルにおけるそれぞれの活動に関する前記情報が、
前記マルチチャンネルの各マルチチャンネル用利得係数と、
前記マルチチャンネルの各マルチチャンネル用の短時間にわたる利得係数の組み合わせと、
前記マルチチャンネルの各マルチチャンネル用線形予測係数と、
前記マルチチャンネルの各マルチチャンネル用の前記マルチチャンネルオーディオ信号の周波数帯域の少なくとも一部の帯域におけるエネルギレベルと、
前記符号化済みマルチチャンネルオーディオ信号を出力する符号化端部から受信した前記活動に関する個別のサイド情報と、のうちの少なくとも１つを含むコンピュータ読み取り可能記録媒体。
【請求項３０】
前記マルチチャンネルにおける活動に関する前記情報によって、前記マルチチャンネルのうちの第１のマルチチャンネルにおける活動の方が、前記マルチチャンネルのうちの少なくとも１つの別のマルチチャンネルの場合よりも著しく低いことが示された場合、前記第１のチャンネル用として利用可能な少なくとも１つのパラメータの値を無視する請求項２７から２９のいずれか一項に記載のコンピュータ読み取り可能記録媒体。
【請求項３１】
前記マルチチャンネルにおける活動に関する前記情報によって、前記マルチチャンネルのうちの第１のマルチチャンネルにおける活動の方が、前記マルチチャンネルのうちの少なくとも１つの別のマルチチャンネルの場合よりも著しく低いことが示された場合、前記マルチチャンネル用として利用可能な少なくとも１つの別のパラメータの値の平均値を計算する請求項３０に記載のコンピュータ読み取り可能記録媒体。
【請求項３２】
前記マルチチャンネルにおける活動に関する前記情報によって、前記マルチチャンネルのうちの第１のマルチチャンネルにおける活動の方が、前記マルチチャンネルのうちの少なくとも１つの別のマルチチャンネルの場合よりも著しく低いことが示されなかった場合、前記マルチチャンネル用として利用可能な前記マルチチャンネルの値の平均値を計算する請求項２７から３１のいずれか一項に記載のコンピュータ読み取り可能記録媒体。
【請求項３３】
前記マルチチャンネル信号がステレオ信号である請求項２７から３２のいずれか一項に記載のコンピュータ読み取り可能記録媒体。
【請求項３４】
原マルチチャンネルオーディオ信号を低周波数帯域信号と高周波数帯域信号とに分割し、前記低周波数信号を符号化し、前記マルチチャンネル用の前記高周波数帯域信号を個別に符号化する先行するステップを具備し、この結果として前記マルチチャンネルの各マルチチャンネル用の前記パラメータ値を得る方法であって、前記高周波数帯域信号用として上記の結果得られた少なくとも前記パラメータ値を前記モノオーディオ信号を合成するために組み合わせる請求項２７から３３のいずれか一項に記載のコンピュータ読み取り可能記録媒体。
【国際調査報告】
2007529031.tif 000012
2007529031.tif 000013
2007529031.tif 000014
2007529031.tif 000015